(57)【要約】【課題】所望の期間と当該期間に対する所望の目標温度とを容易且つ正確に設定することができるとともに、操作性が高く、使い勝手のよい空調装置の操作装置を提供する。【解決手段】１日を複数の期間Ｒ１〜Ｒ５に区分けするとともに、隣り合う期間同士の境界となる線分であって画面上の所定方向への移動が可能な期間境界線Ｋ１〜Ｋ４と、期間境界線Ｋ１〜Ｋ４にそれぞれ設けられ、期間境界線Ｋ１〜Ｋ４の移動が可能であることを視覚的に識別表示するものであって移動させるために操作する位置を示す操作マークＭＰと、各期間Ｒ１〜Ｒ５に対して設定された目標温度ＭＣ１〜ＭＣ５、ＭＨ１〜ＭＨ５とを表示し、期間境界線Ｋ１〜Ｋ４をドラッグ操作により移動することで、隣り合う期間の開始時刻と終了時刻とを同時に変更するとともに、変更前の期間に設定されていた目標温度を変更後の期間に対して再設定する。【選択図】図２
2018206434.tif 000002
【特許請求の範囲】
【請求項１】
表示器と、
前記表示器の画面に対応して設けられているタッチパネルと、
前記タッチパネルに入力された操作に応じて前記表示器の表示を更新する制御部と、を備えた空調装置の操作装置であって、
１日を複数の期間に区分けするとともに、隣り合う期間同士の境界となる線分であって画面上の所定方向への移動が可能な期間境界線と、複数の前記期間境界線にそれぞれ設けられ、当該期間境界線の移動が可能であることを視覚的に識別表示するものであって当該期間境界線を移動させるために操作する位置を示す操作マークと、各期間に対して設定された目標温度とを前記表示器に表示し、
前記期間境界線をドラッグ操作により移動することで、隣り合う期間の開始時刻と終了時刻とを同時に変更するとともに、変更前の期間に設定されていた目標温度を変更後の期間に対して自動的に再設定することを特徴とする空調装置の操作装置。
【請求項２】
各期間に対して設定されている前記目標温度を示す線分であって、前記期間境界線とは直交する方向への移動が可能な目標温度線を前記表示器に表示し、
前記目標温度線をドラッグ操作により移動することにより、当該移動させた前記目標温度線に対応する期間における前記目標温度を変更することを特徴とする請求項１記載の空調装置の操作装置。
【請求項３】
ドラッグ操作の対象となる前記目標温度線について、移動が可能であることを視覚的にユーザに提示する識別表示を行うことを特徴とする請求項２記載の空調装置の操作装置。
【請求項４】
前記期間境界線および前記目標温度線の少なくとも一方について、ドラッグ操作により移動した後の位置と移動する前の位置とを対比するための仮想線を表示することを特徴とする請求項２または３記載の空調装置の操作装置。
【請求項５】
各期間について、前記期間境界線と前記目標温度線とで囲まれた領域内に当該期間に設定されている目標温度を表示するとともに、その領域を前記表示器の設定画面の背景色とは異なる色で塗りつぶして表示することを特徴とする請求項２から４のいずれか一項記載の空調装置の操作装置。
【請求項６】
ドラッグ操作による移動対象となっている前記期間境界線が他の前記期間境界線に予め定められている最小時間間隔を存して隣接する位置まで移動し、その後もドラッグ操作が継続された場合、移動対象となっている前記期間境界線とともに、隣接した他の前記期間境界線も移動することを特徴とする請求項１から５のいずれか一項記載の空調装置の操作装置。
【請求項７】
各期間には、冷房運転および暖房運転のそれぞれに対して目標温度を設定でき、
前記目標温度は、冷房運転を開始するしきい値となるとともに当該冷房運転における目標温度となる冷房目標温度、および暖房運転を開始するしきい値となるとともに当該暖房運転における目標温度となる暖房目標温度が各期間に対してそれぞれ設定されており、
前記期間境界線を冷房運転および暖房運転の双方に対して共通とし、期間境界線をドラッグ操作して期間を変更した際、前記冷房目標温度および前記暖房目標温度の双方を変更後の期間に対して再設定することを特徴とする請求項１から６のいずれか一項記載の空調装置の操作装置。
【請求項８】
前記期間境界線と前記冷房目標温度を示す前記目標温度線である冷房目標温度線とで囲まれた領域として示される冷房領域と、前記期間境界線と前記暖房目標温度を示す前記目標温度線である暖房目標温度線とで囲まれた領域として示される暖房領域とを互いに対向させて前記表示器に表示し、
前記冷房目標温度線および前記暖房目標温度線のうちドラッグ操作による移動対象となっている前記目標温度線が対向する他方の前記目標温度線に予め定められている最小温度間隔を存して隣接する位置まで移動し、その後もドラッグ操作が継続された場合、移動対象となっている前記目標温度線とともに、他方の前記目標温度線も移動することを特徴とする請求項７記載の空調装置の操作装置。
【請求項９】
前記期間境界線と前記冷房目標温度を示す前記目標温度線である冷房目標温度線とで囲まれた領域として示される冷房領域と、前記期間境界線と前記暖房目標温度を示す前記目標温度線である暖房目標温度線とで囲まれた領域として示される暖房領域とを互いに対向させて前記表示器に表示し、
前記冷房目標温度線および前記暖房目標温度線のうちドラッグ操作による移動対象となっている前記目標温度線が対向する他方の前記目標温度線に予め定められている最小温度間隔を存して隣接する位置まで移動し、その後もドラッグ操作が継続された場合、移動対象となっている前記目標温度線がそれ以上移動することを規制することを特徴とする請求項７記載の空調装置の操作装置。
【発明の詳細な説明】
【技術分野】
【０００１】
本発明は、空調装置に対して温度設定を行うための操作装置に関する。
【背景技術】
【０００２】
空調装置は、温度センサ等で検出した室温がユーザにより設定された目標温度となるように冷房運転や暖房運転を行っている。
さて、いわゆるセントラルヒーティング方式を採用した空調装置の場合、地域によっては２４時間運転を行うことがある。そのため、空調装置に対して温度設定を行うための操作装置に対しては、１日を複数の期間に区分けし、各期間に対応して目標温度を設定することが求められている。その場合、期間や目標温度を数値にて表示し、期間や目標温度を変更する変更ボタン等を設けてそれぞれを設定する構成では、設定に複数回の操作を要したり、各期間に対してそれぞれ個別に設定する必要があったりする。
【０００３】
具体的には、例えば温度を１度刻みで設定可能な構成の場合、温度を５度変更したいときには５回の操作が必要となる。あるいは、例えば期間を１５分刻みで設定可能な構成の場合、期間を２時間変更したい場合には８回の操作が必要になる。このように操作が煩雑になると使い勝手が悪化することから、例えば特許文献１では感知能動化手段を用いて画面上の位置を指定することにより目標温度を設定することが提案されている。
【先行技術文献】
【特許文献】
【０００４】
【特許文献１】特開２０００−１４６２７１号公報
【発明の概要】
【発明が解決しようとする課題】
【０００５】
ところで、特許文献１のような構成の場合、ある期間において同じ目標温度を設定するためには、例えば時間軸が横方向であれば正確に横方向になぞるような操作が必要となる。
【０００６】
しかしながら、一般家庭での利用を考慮した場合、温度設定を行うための操作装置の小型化が望まれることもあり、表示器の画面をそれほど大きくすることができないという事情がある。そして、画面が小さい場合には、目標温度が所望の温度となるように画面上の位置を正確に指定しつづけることが難しく、設定する期間が長くなるほど操作性の悪さが顕著に現れてくる。また、曜日によって区分けする期間が異なるような場合、期間の設定を変更するごとに目標温度を再設定する必要があり、使い勝手の悪さも否めない。
【０００７】
さらに、操作装置を操作するユーザが例えば子供やお年寄りである場合をも考慮すると、誤った操作が入力されないようにする等、使い勝手を向上させることは極めて重要になる。
【０００８】
本発明は、上記事情に鑑みてなされたものであり、その目的は、所望の期間と当該期間に対する所望の目標温度とを容易且つ正確に設定することができるとともに、操作性が高く、使い勝手のよい空調装置の操作装置を提供することにある。
【課題を解決するための手段】
【０００９】
請求項１記載の発明では、表示器と、表示器の画面に対応して設けられているタッチパネルと、タッチパネルに入力された操作に応じて表示器の表示を更新する制御部とを備えた空調装置の操作装置において、１日を複数の期間に区分けするとともに、隣り合う期間同士の境界となる線分であって画面上の所定方向への移動が可能な期間境界線と、複数の期間境界線にそれぞれ設けられ、当該期間境界線の移動が可能であることを視覚的に識別表示するものであって当該期間境界線を移動させるために操作する位置を示す操作マークと、各期間に対して設定された目標温度とを表示器に表示し、期間境界線をドラッグ操作により移動することで、隣り合う期間の開始時刻と終了時刻とを同時に変更する。これにより、ドラッグ操作によって期間を変更可能となることから、例えば１５分刻みで期間を変更可能な構成の場合であっても、変更ボタンを何度も操作するようなことが不要となり、容易に期間を変更することができる。
【００１０】
このとき、期間境界線は所定の方向への移動が可能に構成されていることから、ドラッグ操作する際にユーザの指が多少ぶれたとしても、期間境界線を正確に移動させることができる。
【００１１】
ところで、比較的小型であることが想定される空調装置の操作装置の場合、表示画面も小さくなることが想定される。また、このような空調装置の操作装置は、当然のことながら、小さい子供やお年寄りに操作されることも想定される。その場合、比較的小さい画面の中に複数の期間境界線を表示すると、目的の期間境界線を移動させようとした際に誤って隣の期間境界線に触れたりする等、意図していない期間境界線が移動してしまうおそれが高くなる。そこで、複数の期間境界線にそれじれ期間境界線を移動させるために触れる位置を示す操作マークを表示することにより、操作する位置を明確に示すことができるとともに、操作マークから外れた場合には移動しないため誤操作を抑制することができる。また、表示画面には期間境界線以外にも操作可能な場所が存在することが想定される操作装置において、他の操作をしようとした際に誤って期間境界線を移動させてしまうことを抑制することもできる。したがって、例えば子供やお年寄りであっても、容易に操作できるとともに、誤った操作が入力されるおそれを低減することができ、使い勝手を向上させることができる。
【００１２】
また、ある期間の例えば終了時刻を変更した場合には時間的に隣り合っておいる他の期間の開始時刻が同時に変更されることから、１回のドラッグ操作により複数の期間を同時に変更することができ、さらに、変更前の期間に設定されていた目標温度を変更後の期間に対して自動的に再設定することから、期間が変更された場合には、その変更に伴って目標温度が変更されるため、別途目標温度を設定し直す必要が無くなり、使い勝手を向上させることができる。
【００１３】
この場合、必ずしも表示されている期間境界線そのものを移動させるのではなく、期間境界線と連動させた操作マークを配置し、その操作マークをドラッグ操作することによって間接的に期間境界線を移動させる構成であってもよい。
【００１４】
請求項２記載の発明では、各期間に対して設定されている目標温度を示す線分であって、期間境界線とは直交する方向への移動が可能な目標温度線を表示器に表示し、目標温度線をドラッグ操作により移動することにより、当該移動させた目標温度線に対応する期間における目標温度を変更する。これにより、１回のドラッグ操作で目標温度を変更することができるため、例えば１度刻みで目標温度を設定可能な場合であっても、変更ボタンを何度も操作することが不要となり、また、操作入力のための動作が連続的になるから、１回の操作で目標温度まで移動させることができるため少ない操作量で目標温度を設定することができるようになり、容易に目標温度を変更することができる。
【００１５】
このとき、目標温度線は期間境界線とは直交する方向への移動が可能に構成されていることから、目標温度線を移動させる際に誤って期間境界線を移動させてしまったり、逆に、期間境界線を移動させる際に誤って目標温度線を移動させてしまったりすることを防止でき、操作性および使い勝手を向上させることができる。
【００１６】
この場合、必ずしも表示されている目標温度線そのものを移動させるのではなく、目標温度線と連動させた操作マークを配置し、その操作マークをドラッグ操作することによって間接的に目標温度線を移動させる構成であってもよい。
【００１７】
請求項３記載の発明では、ドラッグ操作の対象となる目標温度線について、移動が可能であることを視覚的にユーザに提示する識別表示を行う。期間境界線や目標温度線を単に表示すると、それらが移動可能であることをユーザが把握できない可能性も考えられる。そこで目標温度線が移動可能であることを明示的に示すような識別表示を行うことで、目標温度線が移動可能であること、つまり、目標温度線を移動させることで目標温度が変更可能であることをユーザに把握させる。このように操作可能か否かを視覚的にユーザに告知することで、操作に迷うおそれを低減でき、直感的に操作できるようになる。
【００１８】
請求項４記載の発明では、期間境界線および目標温度線の少なくとも一方について、ドラッグ操作により移動した後の位置と移動する前の位置とを対比するための仮想線を表示する。これにより、変更前の設定を把握することができ、例えば誤って操作した際に元の設定に直ぐに戻すことができる。
【００１９】
請求項５記載の発明では、各期間について、期間境界線と目標温度線とで囲まれた領域内に当該期間に設定されている目標温度を表示するとともに、その領域を表示器の設定画面の背景色とは異なる色で塗りつぶして表示する。このように領域内にその期間に設定されている目標温度を表示することで、表示スペースを小さくすることができ、操作装置の小型化を図ることができる。
【００２０】
その一方で、期間が短い場合には領域が小さくなることから、領域内に表示されている目標温度が見づらい、あるいは見えなくなるおそれがある。そのため、領域内を塗りつぶすことで、小さい領域における設定を、隣接する領域に対する相対値としてある程度把握することができる。この場合、ある領域が小さい場合にはそれに隣接する領域は相対的に大きくなっていると考えられ、その相対的に大きい領域に目標温度が数値にて表示されていると考えると、目標温度をおおよそ把握することもできる。
【００２１】
請求項６記載の発明では、ドラッグ操作による移動対象となっている期間境界線が他の期間境界線に予め定められている最小時間間隔を存して隣接する位置まで移動し、その後もドラッグ操作が継続された場合には、移動対象となっている期間境界線とともに、隣接した他の期間境界線も移動する。これにより、例えばある期間を変更したい場合において、ドラッグ操作する際の移動が他の期間境界線により制限されることがなくなる。したがって、ある期間を変更したい場合に、隣接する期間を予め変更しておくような二度手間が不要となり、使い勝手を向上させることができる。
【００２２】
請求項７記載の発明では、各期間には、冷房運転および暖房運転のそれぞれに対して目標温度を設定でき、目標温度は、冷房運転を開始するしきい値となるとともに当該冷房運転における目標温度となる冷房目標温度、および暖房運転を開始するしきい値となるとともに当該暖房運転における目標温度となる暖房目標温度が各期間に対してそれぞれ設定されており、期間境界線を冷房運転および暖房運転の双方に対して共通とし、期間境界線をドラッグ操作して期間を変更した際、冷房目標温度および暖房目標温度の双方を変更後の期間に対して再設定する。地域によっては、１日の寒暖差が大きく、朝は暖房運転、昼は冷房運転といった使い方をすることが考えられる。その一方で、例えば起床時間はほぼ毎日同じである等、期間については冷房運転に対しても暖房運転に対しても同一であることが考えられる。そこで、冷房運転と暖房運転とに対して期間境界線を共通化することで、冷房運転と暖房運転の双方を一度に設定することができ、使い勝手を向上させることができる。
【００２３】
請求項８記載の発明では、期間境界線と冷房目標温度を示す目標温度線である冷房目標温度線とで囲まれた領域として示される冷房領域と、期間境界線と暖房目標温度を示す目標温度線である暖房目標温度線とで囲まれた領域として示される暖房領域とを互いに対向させて表示器に表示し、冷房目標温度線および暖房目標温度線のうちドラッグ操作による移動対象となっている目標温度線が対向する他方の目標温度線に予め定められている最小温度間隔を存して隣接する位置まで移動し、その後もドラッグ操作が継続された場合、移動対象となっている目標温度線とともに、他方の目標温度線も移動する。これにより、例えば冷房運転の温度を下げたい場合に、その下限が暖房運転の上限により制限されることがなくなり、予め暖房運転の上限を下げておく等の二度手間が不要となる。
【００２４】
請求項９記載の発明では、期間境界線と冷房目標温度を示す目標温度線である冷房目標温度線とで囲まれた領域として示される冷房領域と、期間境界線と暖房目標温度を示す目標温度線である暖房目標温度線とで囲まれた領域として示される暖房領域とを互いに対向させて表示器に表示し、冷房目標温度線および暖房目標温度線のうちドラッグ操作による移動対象となっている目標温度線が他方の目標温度線に予め定められている最小温度間隔を存して隣接する位置まで移動し、その後もドラッグ操作が継続された場合、移動対象となっている目標温度線がそれ以上移動することを規制する。これにより、例えば暖房運転の上限を上げた場合に、冷房運転の下限を変更してしまうことがなくなり、誤って冷房運転が行われなくなってしまうようなおそれを防止することができる。
【図面の簡単な説明】
【００２５】
【図１】第１実施形態における空調システムの構成を概略的に示す図
【図２】第１実施形態における操作装置の設定画面の一例を模式的に示す図
【図３】第１実施形態において期間を変更する際の操作態様を模式的に示す図
【図４】第１実施形態において設定温度を変更する際の操作態様を模式的に示す図
【図５】第１実施形態において表示が文字切れした状態を模式的に示す図
【図６】第２実施形態において設定温度を変更する際の操作態様を模式的に示す図
【図７】第２実施形態において期間を変更する際の操作態様を模式的に示す図
【図８】第３実施形態において設定温度を変更する際の操作態様を模式的に示す図その１
【図９】第３実施形態において設定温度を変更する際の操作態様を模式的に示す図その２
【図１０】第３実施形態において期間を変更する際の操作態様を模式的に示す図
【図１１】その他の実施形態において冷房温度設定と暖房温度設定とを選択する際の表示態様を模式的に示す図
【図１２】その他の実施形態において期間を変更する際の操作態様を模式的に示す図
【発明を実施するための形態】
【００２６】
以下、本発明の複数の実施形態について、図面を参照しながら説明する。なお、各実施形態において実質的に共通する部位には同一の符号を付し、その詳細な説明は省略する。また、本実施形態では、温度は華氏で説明する。
【００２７】
（第１実施形態）
以下、本発明の第１実施形態について、図１から図５を参照しながら説明する。
図１に示すように、本実施形態のセントラルヒーティングシステム１は、操作装置２と、その操作装置２に接続されている空調装置３とを備えている。空調装置３は、例えばヒートポンプ式の冷房装置と、ガス式の暖房装置とで構成されている。なお、図１に示す構成は一例である。
【００２８】
操作装置２は、制御部４、表示器５、タッチパネル６、温度センサ７およびタイマ８を備えている。制御部４は、図示しないＣＰＵ、ＲＯＭおよびＲＡＭ等を備えたマイクロコンピュータにより構成されており、ＲＯＭ等に記憶されているプログラムを実行することで、操作装置２全体を制御する。具体的には、制御部４は、表示器５への表示、タッチパネル６からの入力の受け付け、温度センサ７により検知した室温に基づいて、タイマ８で取得した時刻に応じた空調装置３の運転開始や運転終了等の制御を行っている。
【００２９】
表示器５は、本実施形態では、およそ５インチ程度のおおきさで、カラー表示が可能な液晶表示器５を採用している。なお、表示器５は、液晶表示器に限らず、有機ＥＬ表示器など他の構成であってもよい。この表示器５には、図２にも示すように、その画面に対応してタッチパネル６が設けられている。タッチパネル６は、感圧式や静電容量式等の周知の構成のものを採用すればよい。温度センサ７は、操作装置２が設置されている部屋の温度を検知する。なお、温度センサ７は、操作装置２とは別体に設けられていてもよいし、複数の温度センサ７にて異なる部屋の室温を検知する構成であってもよい。この操作装置２は、部屋の壁等に設置され、住人等のユーザによって使用される。
【００３０】
さて、操作装置２は、セントラルヒーティングシステム１に対する各種の設定が可能であり、その一部として、本実施形態で説明する空調装置３の運転開始や運転終了を指示するための温度設定、および、１日のうちどの期間（時間帯）にどのような運転を行うかの設定をすることができる。それらの設定は、タッチパネル６に対するユーザの操作により行われている、以下、本実施形態では、ドラッグ操作とは、画面上の任意の点をユーザが例えば指でタッチし、そのまま指をずらしていく操作を想定している。
【００３１】
操作装置２は、図２に示すような設定画面を表示器５に表示する。この設定画面には、図示横方向が１日分の時間を示し、図示縦方向が温度を示す表示枠Ｗが設けられている。より具体的には、本実施形態では、表示枠Ｗは、図示左端が０時を示し、図示右端が２４時を示し、図示上端が華氏１００度を示し、図示下端が華氏４０度を示している。このうち、図示上端の華氏１００度は、セントラルヒーティングシステム１における上限設定温度を示しており、図示下端の華氏４０度は、セントラルヒーティングシステム１における下限設定温度を示している。以下、便宜的に、表示枠Ｗの図示横方向を時間軸方向と称し、表示枠Ｗの図示縦方向を温度軸方向と称して説明する。
【００３２】
この表示枠Ｗの内部には、時間軸方向において、１日を複数の期間に区分けするとともに、隣り合う期間同士の境界となる線分であって画面上の所定方向、本実施形態では時間時期方向のみへ１５分刻みでの移動が可能な期間境界線Ｋ１〜Ｋ４が設けられている。そして、期間境界線Ｋ１〜Ｋ４により区分けされている期間のうち、表示枠Ｗの左端から期間境界線Ｋ１までの期間が睡眠期間Ｒ１、期間境界線Ｋ１から期間境界線Ｋ２までの期間が起床期間Ｒ２、期間境界線Ｋ２から期間境界線Ｋ３までの期間が外出期間Ｒ３、期間境界線Ｋ３から期間境界線Ｋ４までの期間が帰宅期間Ｒ４、期間境界線Ｋ４から表示枠Ｗの右端までの期間が睡眠期間Ｒ５として設定されている。
【００３３】
ただし、睡眠期間については前日の期間境界線Ｋ４から当日の期間境界線Ｋ１まで、つまり、睡眠期間Ｒ５と睡眠期間Ｒ１とを合わせた期間が１つの期間として考えており、実質的には、１日は４つに区分けされていることになる。なお、操作装置２は、フリック操作することにより次の日の設定画面へ切り替えることができる。
【００３４】
この期間境界線Ｋ１〜Ｋ４には、線分の上端側に、各期間境界線Ｋ１〜Ｋ４をそれぞれ個別に移動させるための操作マークＭＰがそれぞれ設けられているとともに、各期間境界線Ｋ１〜Ｋ４が示す時刻Ｔ１〜Ｔ４が表示されている。操作マークＭＰは、期間境界線Ｋ１〜Ｋ４をドラッグ操作するときの操作点であり、後述する図３等のようにユーザが指で操作マークＭＰにふれてドラッグ操作することで、対応する期間境界線が画面上を移動する。つまり、本実施形態では、操作マークＭＰをドラッグ操作することによって、間接的に期間境界線Ｋ１〜Ｋ４を移動させている。操作マークＭＰは、移動が可能であることを視覚的にユーザに提示する識別表示に相当する。
【００３５】
各期間Ｒ１〜Ｒ５には、それぞれ、冷房運転を開始するしきい値となるとともに当該冷房運転における目標温度となる冷房目標温度ＭＣ１〜ＭＣ５、および、暖房運転を開始するとともに当該暖房運転における目標温度となる暖房目標温度ＭＨ１〜ＭＨ５が表示されている。なお、上記したように、冷房目標温度ＭＣ５は実質的には冷房目標温度ＭＣ１であり、暖房目標温度ＭＨ５は実質的には暖房目標温度ＭＨ１である。
【００３６】
操作装置２は、例えば起床期間Ｒ２において室温が華氏７５度を超えると、空調装置３に対して冷房運転の開始を指示し、空調装置３は、室温が華氏７５度となるように冷房運転を行う。このとき、室温が華氏７５度を華氏０．５度以上下回ると、十分に冷房されたとして冷房運転は停止する。一方、起床期間Ｒ２において室温が華氏７０度を下回ると、操作装置２は、空調装置３に対して暖房運転の開始を指示し、空調装置３は、室温が華氏７０度となるように暖房運転を行う。このとき、室温が華氏７０度を華氏０．５度以上上回ると、十分に暖房されたとして暖房運転は停止する。このため、冷房目標温度と暖房目標温度との間には、華氏１度分が最小温度間隔となる冷房運転も暖房運転も行われない範囲が存在する。
【００３７】
冷房目標温度ＭＣ１〜ＭＣ５はおよび暖房目標温度ＭＨ１〜ＭＨ５は、数値とともに、各期間に対して設定されている目標温度を示す線分であるとともに、期間境界線Ｋ１〜Ｋ４とは直交する方向、本実施形態では温度軸方向へ、期間境界線Ｋ１〜Ｋ４とは独立して移動が可能な目標温度線に相当する冷房目標温度線ＬＣ１〜ＬＣ５および暖房目標温度線ＬＨ１〜ＬＨ５によっても示されている。そして、期間境界線Ｋ１〜Ｋ４と、冷房目標温度線ＬＣ１〜ＬＣ５あるいは暖房目標温度線ＬＨ１〜ＬＨ５とによって囲まれた領域ＲＣ１〜ＲＣ５、ＲＨ１〜ＲＨ５が、冷房運転あるいは暖房運転が行われる範囲となる。
【００３８】
本実施形態では、冷房運転を行う領域ＲＣ１〜ＲＣ５が温度軸方向において上方に配置され、暖房運転を行う領域ＲＨ１〜ＲＨ５が温度軸方向において下方側に配置され、互いに上下方向で対向配置されている。これは、室温が高い場合には冷房運転が行われ、室温が高い場合には暖房運転が行うのが一般的であるためである。
【００３９】
このように対向配置することで、表示枠Ｗの上端から下方に伸びる棒グラフのように示される冷房運転を行う領域ＲＣ１〜ＲＣ５については、表示枠Ｗの上端が設定可能な上限であることをユーザに直感的に把握させることができるとともに、表示枠Ｗの上端からの距離が大きくなるほど電力消費が大きいことを模式的に示すことができる。また、表示枠Ｗの下端から上方に伸びる棒グラフのように示される暖房運転を行う領域ＲＨ１〜ＲＨ５については、表示枠Ｗの下端が設定可能な下限であることをユーザに直感的に把握させることができるとともに、表示枠Ｗの下端からの距離が大きくなるほど電力消費が大きいことを模式的に示すことができる。
【００４０】
また、本実施形態では、画面の背景が黒色である一方、図２にハッチングにて模式的に示すように、冷房運転を行う領域ＲＣ１〜ＲＣ５については寒色系の水色で塗りつぶして表示している、暖房運転を行う領域ＲＨ１〜ＲＨ５については暖色系のオレンジ色で塗りつぶして表示している。このため、画面をみれば、いずれが冷房運転の設定であるのか、暖房運転の設定であるのかを直感的に把握することができる。
【００４１】
これら冷房目標温度ＭＣ１〜ＭＣ５および暖房目標温度ＭＨ１〜ＭＨ５の近傍には、操作バーＭＢがそれぞれ表示されている。操作バーＭＢは、上記した操作マークＭＰと同様に、冷房目標温度線ＬＣ１〜ＬＣ５および暖房目標温度ＬＨ１〜ＬＨ５が移動可能であることを視覚的に提示するための識別表示に相当し、ユーザが触れる位置を示している。この操作バーＭＢは、冷房目標温度ＭＣ１〜ＭＣ５については数値の下方側、暖房目標温度ＭＨ１〜ＭＨ５については数値の上方側に配置されている。この操作バーＭＢをドラッグ操作することで、移動させた冷房目標温度ＭＣ１〜ＭＣ５あるいは暖房目標温度ＭＨ１〜ＭＨ５に期間における目標温度を変更することができる。
【００４２】
次に、上記した構成の具体的な操作態様について、図３から図５を参照しながら説明する。
図３は、期間Ｒ２および期間Ｒ３の境界となる期間境界線Ｋ２を移動させて起床期間Ｒ２を変更する際の操作態様を模式的に示している。変更前つまり期間境界線Ｋ２を移動させる前の時点では、図２に示したように、起床期間Ｒ２の開始時刻が６：００、終了時刻が８：００、領域ＲＣ２の冷房目標温度ＭＣ２が華氏７５度、領域ＲＣ３の冷房目標温度ＭＣ３が華氏８０度、領域ＲＨ２の暖房目標温度ＭＨ２が華氏７０度、領域ＲＨ３の暖房目標温度ＭＨ３が華氏６０度に設定されているものとする。
【００４３】
このとき、期間Ｒ２の終了時刻を１０：００に変更したい場合、ユーザは、移動開始時には、期間境界線Ｋ２の操作マークＭＰにふれて、図示Ｘ１で示す向きにドラッグ操作を行う。このとき、移動中では、時刻Ｔ２が時間軸方向への移動にともなってリアルタイムで変更される。そして、移動終了時には、期間境界線Ｋ２を１０時のところまで移動させてから指を離すことで、時刻Ｔ２が１０：００に更新される。これにより、領域Ｒ２の終了時刻、ならびに、領域Ｒ３の開始時刻が変更される。
【００４４】
そして、領域Ｒ２および領域Ｒ３が変更されたことから、変更前の領域Ｒ２に対して設定されていた冷房目標温度ＭＣ２および暖房目標温度ＭＨ２が変更後の領域Ｒ２に対して再設定されるとともに、変更前の領域Ｒ３に対して設定されていた冷房目標温度ＭＣ３および暖房目標温度ＭＨ３が変更後の領域Ｒ３に対して再設定される。具体的には、時刻８：００から１０：００までの期間は、変更前においては領域Ｒ３に属していたためその目標温度は冷房目標温度ＭＣ３が華氏８０度、暖房目標温度ＭＨ３が華氏６０度に設定されていたが、期間Ｒ２が１０：００まで延長されたことから、時刻８：００から１０：００までの期間は変更後においては領域Ｒ２に属することになり、その目標温度は、冷房目標温度ＭＣ３が華氏７５度、暖房目標温度ＭＨ３が華氏７０度に自動的に設定される。
【００４５】
つまり、期間境界線Ｋ２のみをドラッグ操作することにより、隣接する期間Ｒ２、Ｒ３を同時に変更することができるとともに、変更後の領域Ｒ２、Ｒ３に対し、変更前に各領域に設定されていた目標温度が自動で引き継がれて再設定される。このため、従来のように変更ボタンを何度も操作する場合に比べて、格段に操作回数を削減することができる。
【００４６】
このような操作性は、目標温度についても同様である。図４は、領域ＲＣ３の冷房目標温度ＭＣ３を変更する際の操作態様を模式的に示している。変更前つまり冷房目標温度線ＬＣ３を移動させる前の時点では、図２に示したように、冷房目標温度ＭＣ３は華氏８０度に設定されているものとする。
【００４７】
このとき、冷房目標温度ＭＣ３を華氏８５度に変更したい場合、ユーザは、移動開始時には、冷房目標温度ＭＣ３に対応する操作バーＭＢにふれて、矢印Ｙ１に示すように冷房目標温度線ＬＣ３を温度軸に沿って上方に移動させる。ただし、画面が小さい場合、冷房目標温度ＭＣ３が指で隠れてしまうおそれがある。そのため、本実施形態では、指が操作バーＭＢにふれた場合、冷房目標温度ＭＣ３を、ポップアップ表示ＰＴにより表示する。このポップアップ表示ＰＴは、操作バーＭＢの移動に伴ってリアルタイムに表示が変化する。そのため、移動中においては、ユーザは、今どの温度であるのかを把握することができる。
【００４８】
そして、ポップアップ表示ＰＴで確認しながら所望の温度までドラッグ操作を行ってから指を離すと、その時点での温度、例えば華氏８５度が、領域ＲＣ３の目標温度として設定される。これにより、従来のように変更ボタンを何度も操作する場合に比べて、格段に操作回数を削減することができる。このとき、上記したように冷房目標温度線ＬＣ３は期間境界線Ｋ１〜ｋ４とは独立して移動することから、冷房目標温度線ＬＣ３を移動させる際に誤って期間境界線Ｋ１が移動してしまうおそれを低減することができる。
【００４９】
ところで、期間境界線Ｋ１〜Ｋ４は上記したように１５分刻みで移動することができるが、隣り合う期間境界線との距離が近いと、図５に示す領域Ｄ１、Ｄ２のように、目標温度が見づらい、あるいは見えない状態になるおそれがある。しかし、本実施形態のように領域ＲＣ１〜ＲＣ５、ＲＨ１〜ＲＨ５を塗りつぶして表示することで、例えば領域ＲＣ４、ＲＨ４の目標温度が見づらい場合であっても、隣り合う領域ＲＣ３、ＲＨ３、ＲＣ５、ＲＨ５から、相対的に目標温度が高いのか低いのかを把握することができる。
【００５０】
また、期間境界線Ｋ３と期間境界線Ｋ４とが近接する場合、時刻Ｔ３と時刻Ｔ４とが重なって時刻が見づらくなるおそれがある。そのため、本実施形態では、時刻Ｔ１〜Ｔ４が重なるような場合には、図５に示すようにいずれかを例えば上下方向に異なる位置に表示することで、時刻が不明になることを防止している。
【００５１】
このように、操作装置２は、ドラッグ操作により期間境界線Ｋ１〜Ｋ５、および目標温度線ＬＣ１〜ＬＣ５、ＬＨ１〜ＬＨ５を移動させることで、期間Ｒ１〜Ｒ５の変更、ならびに、それぞれの期間に設定されている目標温度の変更を可能としている。
【００５２】
以上説明した本実施形態によれば、次のような効果を得ることができる。
１日を複数の期間Ｒ１〜Ｒ５に区分けし、隣り合う期間同士の境界となる期間境界線Ｋ１〜Ｋ４をドラッグ操作により移動することで隣り合う期間の開始時刻と終了時刻とを同時に変更可能とすることで、一度のドラッグ操作で期間を設定することができるため、従来のように何度も変更ボタンを何度も操作することが不要となり、容易に期間を変更することができる。
【００５３】
このとき、期間境界線Ｋ１〜Ｋ４は所定の方向へ移動するように構成されていることから、ドラッグ操作する際にユーザの指が多少ぶれたとしても、期間境界線Ｋ１〜Ｋ４を正確に移動させることができる。したがって、例えば子供やお年寄りであっても、容易に操作できるとともに、誤った操作が入力されるおそれを低減することができ、使い勝手を向上させることができる。
【００５４】
また、ある期間の例えば終了時刻を変更した場合には時間的に隣り合っておいる他の期間の開始時刻が同時に変更されることから、一度の操作で複数の期間を同時に変更することができ、さらに、変更前の期間に設定されていた目標温度を変更後の期間に対して再設定することから、期間が変更された場合には目標温度も自動的に変更されるため、使い勝手を向上させることができる。
【００５５】
また、複数の期間境界線Ｋ１〜Ｋ４にそれぞれ設けられ、当該期間境界線Ｋ１〜Ｋ４の移動が可能であることを視覚的に識別表示するものであって当該期間境界線Ｋ１〜Ｋ４を移動させるために操作する位置を示す操作マークＭＰを表示することから、操作する位置を明確に示すことができるとともに、その操作マークＭＰにユーザの指を導くことができる。そして、操作マークから外れた場合には移動しないため誤操作が抑制されるとともに、操作マークから多少離れた位置に指が触れたとしても、ユーザが操作マークＭＰを操作しようとしたのか否かを判定しやすくなり、小型であることが想定される操作装置２において特に有意となる。
【００５６】
目標温度線ＬＣ１〜ＬＣ５、ＬＨ１〜ＬＨ５を表示し、いずれかの目標温度線をドラッグ操作により移動することにより、当該移動させた目標温度線に対応する期間における目標温度を変更する。これにより、１回のドラッグ操作で目標温度を所望の値に変更することができるため、例えば１度刻みで目標温度を設定可能な場合であっても、変更ボタンを何度も操作することが不要となり、容易に目標温度を変更することができる。
【００５７】
このとき、目標温度線ＬＣ１〜ＬＣ５、ＬＨ１〜ＬＨ５は、期間境界線Ｋ１〜Ｋ４とは直交する方向への移動が可能に構成されていることから、目標温度線ＬＣ１〜ＬＣ５、ＬＨ１〜ＬＨ５を移動させる際に誤って期間境界線Ｋ１〜Ｋ４を移動させてしまったり、逆に、期間境界線Ｋ１〜Ｋ４を移動させる際に誤って目標温度線ＬＣ１〜ＬＣ５、ＬＨ１〜ＬＨ５を移動させてしまったりすることを防止でき、操作性および使い勝手を向上させることができる。
【００５８】
また、本実施形態のように期間境界線Ｋ１〜Ｋ４を移動させる操作マークＭＰを表示枠Ｗの上端に重ねて配置することで、つまり、目標温度線ＬＣ１〜ＬＣ５、ＬＨ１〜ＬＨ５の移動範囲外に配置することで、誤操作が生じるおそれをさらに低減することができる。
【００５９】
ドラッグ操作の対象となる期間境界線Ｋ１〜Ｋ４および目標温度線ＬＣ１〜ＬＣ５、ＬＨ１〜ＬＨ５について、操作マークＭＰや操作バーＭＢといった、移動が可能であることを視覚的にユーザに提示する識別表示を行っている。これにより、期間境界線Ｋ１〜Ｋ４および目標温度線ＬＣ１〜ＬＣ５、ＬＨ１〜ＬＨ５が移動可能であること、つまり、期間境界線や目標温度線を移動させることで期間や目標温度が変更可能であることをユーザに把握させることができる。
【００６０】
各期間Ｒ１〜Ｒ５について、期間境界線Ｋ１〜Ｋ４と目標温度線ＬＣ１〜ＬＣ５、ＬＨ１〜ＬＨ５とで囲まれた領域ＲＣ１〜ＲＣ５、ＲＨ１〜ＲＨ５内に当該期間に設定されている目標温度ＭＣ１〜ＭＣ５、ＭＨ１〜ＭＨ５を表示するとともに、その領域ＲＣ１〜ＲＣ５、ＲＨ１〜ＲＨ５を表示器５の設定画面の背景色とは異なる色で塗りつぶして表示する。このように領域内にその期間に設定されている目標温度を表示することで、表示スペースを小さくすることができ、操作装置２の小型化を図ることができる。
【００６１】
このとき、本実施形態では、冷房運転を行う領域ＲＣ１〜ＲＣ５を寒色系の色で塗りつぶし、暖房運転を行う領域ＲＨ１〜ＲＨ５を暖色系の色で塗りつぶして表示するので、いずれが設定対象であるのかを容易に把握することができる。
【００６２】
一方、期間が短い場合には領域が小さくなることから、領域内に表示されている目標温度が見づらい、あるいは見えなくなるおそれがある。そのため、領域内を塗りつぶすことで、小さい領域における設定を、隣接する領域に対する相対値としてある程度把握することができる。この場合、ある領域が小さい場合にはそれに隣接する領域は相対的に大きくなっていると考えられ、その相対的に大きい領域に目標温度が数値にて表示されていると考えると、目標温度をおおよそ把握することもできる。
【００６３】
また、塗りつぶされている領域は空調装置３が運転状態にあり、電力が消費されている。このため、塗りつぶされている領域が大きいほど、電力の消費が多いことになる。これにより、電力の消費の大小を直感的に把握することができるとともに、ユーザに省エネを意識させるきっかけとしても利用することができる。
【００６４】
各期間において、冷房運転および暖房運転の双方に対して共通の期間境界線Ｋ１〜Ｋ４を設け、期間境界線Ｋ１〜Ｋ４をドラッグ操作して期間を変更した際、冷房目標温度ＭＣ１〜ＭＣ５および暖房目標温度ＭＨ１〜ＭＨ５の双方を変更後の期間に対して再設定する。これにより、例えば１日の寒暖差が大きく、朝は暖房運転、昼は冷房運転といった使い方をするような場合であっても、期間については冷房運転に対しても暖房運転に対しても同一であることが考えられるため、冷房運転と暖房運転の双方を一度に設定可能とすることで、使い勝手を向上させることができる。
【００６５】
（第２実施形態）
以下、本発明の第２実施形態について、図６および図７を参照しながら説明する。第２実施形態では、ドラッグ操作する際に付加的な情報を表示する点において、第１実施形態と異なっている。なお、期間境界線Ｋ１〜Ｋ４や目標温度線ＬＣ１〜ＬＣ５、ＬＨ１〜ＬＨ５の操作態様は第１実施形態と共通するので、その詳細な説明は省略する。
【００６６】
第２実施形態の場合、変更前の期間境界線Ｋ１〜Ｋ４や目標温度線ＬＣ１〜ＬＣ５、ＬＨ１〜ＬＨ５を、変更が確定するまでユーザが把握可能に表示する。
具体的には、例えば領域ＲＨ３の暖房目標温度ＭＨ３を華氏６０度から華氏５２度に変更する場合を例にすると、ユーザは、図６に示すように、まず矢印Ｙ２にて示すように暖房目標温度線ＬＨ３を温度軸に沿って図示下方に移動させる。このとき、操作装置２は、移動終了時つまりユーザが指を離した時点では、移動開始時における位置を、例えば破線にて仮想線ＬＨ３Ｇのように表示する。そして、例えばセーブマークＳＭを配置しておき、セーブマークＳＭが操作されたことを検知したとき、つまり、ユーザが明確に変更の意思をしめしたとき、目標温度の変更を確定する。
【００６７】
これにより、誤って別の変更を加えてしまったような場合であっても、直ぐに元の設定に戻すことができる。
同様に、期間境界線Ｋ１〜Ｋ４についても、変更前の位置を示すようにしてもよい。具体的には、図７に示すように、例えば期間境界線Ｋ３を１３：００の位置から２０：００の位置に変更する場合、つまり、ユーザが矢印Ｘ２にて示すように期間境界線Ｋ３を時間軸に沿って図示右方に移動させるとき、操作装置２は、セーブマークＳＭが操作されるまでは変更前の位置を、例えば破線にて仮想線Ｋ３Ｇのように表示し、セーブマークＳＭが操作されたときに変更を確定させる。
【００６８】
このように、本実施形態によれば、第１実施形態で得られる効果に加えて、期間境界線Ｋ１〜Ｋ４および目標温度線ＬＣ１〜ＬＣ５、ＬＨ１〜ＬＨ５の少なくとも一方について、ドラッグ操作により移動した後の位置と移動する前の位置とを対比するための仮想線（ＬＨ３Ｇ、Ｋ３Ｇ）を表示することで、誤って操作した際に元の設定に戻したい場合等に対応することができる。この場合、操作装置２が小型であるほど誤って隣接する期間境界線や目標温度線に触れる可能性が高いと考えられるが、変更前の設定を把握することができることから誤りを直ぐに修正することができる。
【００６９】
この場合、操作装置２が小型であるほど誤って隣接する期間境界線や目標温度線に触れる可能性が高いと考えられるが、誤りを直ぐに修正できることから、ユーザが不便さを感じるおそれを低減しつつ、操作装置２の小型化を図ることができる。
【００７０】
このとき、上記した本実施形態では変更前の時点における設定、つまり、前回変更した際にセーブマークＳＭが操作されたときの期間境界線Ｋ１〜Ｋ４の位置を仮想線として表示しているが、変更中において、仮想線を表示するようにしてもよい。つまり、期間境界線Ｋ１〜Ｋ４を変更してユーザが指を離した時点での位置を一時的に記憶し、その後、再度変更された際には、一時的に記憶しておいた位置に仮想線を表示するようにしてもよい。これにより、例えば１回設定した後に誤って期間境界線の位置をずらしてしまったり、他の期間境界線を操作したときに隣接した期間境界線に触れて意図せずに位置をずらしてしまったりしたような場合にも元に戻すことができ、使い勝手が向上する。
【００７１】
また、画面が小さい場合には誤って指が触れてしまう可能性が高くなるものの、仮想線を表示することにより誤った操作を修正できるようになることから、操作装置２の小型化を図る上でのメリットにもなる。
【００７２】
（第３実施形態）
以下、本発明の第３実施形態について、図８から図１０を参照しながら説明する。第３実施形態では、ドラッグ操作する際に他の期間境界線や対向する目標温度線に近接した場合の操作態様について説明する。なお、期間境界線Ｋ１〜Ｋ４や目標温度線ＬＣ１〜ＬＣ５、ＬＨ１〜ＬＨ５の操作態様は第１実施形態と共通するので、その詳細な説明は省略する。
【００７３】
＜操作態様その１＞
図８に示すように、期間境界線Ｋ１〜Ｋ４と冷房目標温度ＭＣ１〜ＭＣ５を示す目標温度線である冷房目標温度線ＬＣ１〜ＬＣ５とで囲まれ、冷房運転が行われる期間である冷房領域を示す領域ＲＣ１〜ＲＣ５、期間境界線Ｋ１〜Ｋ４と暖房目標温度ＭＨ１〜ＭＨ５を示す目標温度線である暖房目標温度線ＬＨ１〜ＬＨ５とで囲まれ、暖房運転が行われる暖房領域を示す領域ＲＨ１〜ＲＨ５とは、互いに対向させて表示されている。
【００７４】
このとき、冷房目標温度線ＬＣ１〜ＬＣ５および暖房目標温度線ＬＨ１〜ＬＨ５のうち、ドラッグ操作による移動対象となっている例えば暖房目標温度線ＬＨ４が、ユーザによって矢印Ｙ３にて示すように温度軸に沿って上方に移動するとき、操作装置２は、対向する他方の冷房目標温度線ＬＣ４に上記した最小温度間隔を存して隣接する位置まで移動し、その後も暖房目標温度線ＬＨ４に対するドラッグ操作が継続されると、移動対象となっている暖房目標温度線ＬＨ４とともに、対向する冷房目標温度線ＬＣ４も移動する。
【００７５】
つまり、暖房目標温度線ＬＨ４を温度軸方向に図示上方に移動させると、冷房目標温度線ＬＣ４も一緒に押し上げられ、図８に示すように、暖房目標温度ＭＨ４を華氏７０度から華氏７６度に変更した場合には、冷房目標温度ＭＣ４は、華氏７５度から華氏７７度に変更される。
【００７６】
これにより、例えば冷房運転の温度を下げたい場合に、その下限が暖房運転の上限により制限されることがなくなり、予め暖房運転の上限を下げておく等の二度手間が不要となる。
【００７７】
＜操作態様その２＞
操作態様その２では、操作態様その１とは異なり、対向する目標温度線により移動を規制する。
【００７８】
図９に示すように、期間境界線Ｋ１〜Ｋ４と冷房目標温度ＭＣ１〜ＭＣ５を示す目標温度線である冷房目標温度線ＬＣ１〜ＬＣ５とで囲まれ、冷房運転が行われる期間である冷房領域を示す領域ＲＣ１〜ＲＣ５、期間境界線Ｋ１〜Ｋ４と暖房目標温度ＭＨ１〜ＭＨ５を示す目標温度線である暖房目標温度線ＬＨ１〜ＬＨ５とで囲まれ、暖房運転が行われる暖房領域を示す領域ＲＨ１〜ＲＨ５とは、互いに対向させて表示されている。
【００７９】
このとき、冷房目標温度線ＬＣ１〜ＬＣ５および暖房目標温度線ＬＨ１〜ＬＨ５のうち、ドラッグ操作による移動対象となっている例えば暖房目標温度線ＬＨ４が、対向する他方の冷房目標温度線ＬＣ４に上記した最小温度間隔を存して隣接する位置まで移動し、その後も暖房目標温度線ＬＨ４に対するドラッグ操作が継続された場合、移動対象となっている目標温度線がそれ以上移動することを規制する。
【００８０】
つまり、暖房目標温度線ＬＨ４を温度軸方向に図示上方に移動させると、冷房目標温度線ＬＣ４から最小温度間隔下回った華氏７４度が、暖房目標温度線ＬＨ４を移動可能な上限となる。これにより、例えば暖房運転の上限を上げた場合に、誤って冷房運転の下限を変更してしまうことがなくなり、室温が高くなっても冷房運転が行われなくなってしまうといったおそれを防止することができる。
【００８１】
このとき、本実施形態では、ポップアップ表示ＰＴを例えば点滅させる等、それ以上の移動が規制されていることを視覚的に提示する態様にて表示する。これにより、操作装置２の不具合ではなく、上限が規制されていることをユーザに報知することができ、さらに温度変更をしたい場合には、規制を解除する等の措置をユーザに行ってもらうことができる。
【００８２】
＜操作態様その３＞
操作態様その３では、期間境界線の操作態様について説明する。
図１０に示すように、ドラッグ操作による移動対象となっている例えば期間境界線Ｋ１が例えば他の期間境界線Ｋ２に予め定められている最小時間間隔（本実施形態では１５分）を存して隣接する位置まで移動し、その後も期間境界線Ｋ１に対するドラッグ操作が継続された場合には、移動対象となっている期間境界線Ｋ１とともに、隣接した期間境界線Ｋ２も移動する。具体的には、変更前の期間境界線Ｋ１の時刻が６：００であり、それを１０：００まで変更するとき、ユーザが矢印Ｘ３にて示すように期間境界線Ｋ１を時間軸に沿って図示右方に移動させると、操作装置２は、変更前の期間境界線Ｋ２の時刻が９：００であったとすると、期間境界線Ｋ１の移動に伴って、期間境界線Ｋ２は、最終的に時刻１０：１５の位置まで移動する。
【００８３】
これにより、例えばある期間を変更したい場合において、ドラッグ操作する際の移動が他の期間境界線により制限されることがなくなる。したがって、ある期間を変更したい場合に、隣接する期間を予め変更しておくような二度手間が不要となり、使い勝手を向上させることができる。
【００８４】
この場合、例えば３つの期間境界線Ｋ１、Ｋ２、Ｋ３を想定すると、真ん中に位置する期間境界線Ｋ２を一方の例えば期間境界線Ｋ３に向かって移動させて期間境界線Ｋ３を移動させ、その後、期間境界線Ｋ２を逆方向に移動させて他方の期間境界線Ｋ１を移動させるなど、１回のドラッグ操作で複数の期間を変更することもできる。
【００８５】
（その他の実施形態）
本発明は上記した各実施形態で例示した構成に限定されるものではなく、その要旨を逸脱しない範囲で任意に変形または拡張することができる。
【００８６】
各実施形態では冷房領域（ＲＣ１〜ＲＣ５）と暖房領域（ＲＨ１〜ＲＨ５）とをともに表示するようにしたが、一方のみを表示させてもよい。この場合、一方のみを表示させる構成としてもよいし、図１１に示すように冷房領域を表示する選択ボタンＳＣと、暖房領域を表示する選択ボタンＳＨとを配置し、例えば図１１（Ａ）に示すように選択ボタンＳＣが操作された場合には、つまり、冷房領域のみを表示することが選択された場合には、冷房領域のみを表示してもよい。逆に、図１１（Ｂ）に示すように選択ボタンＳＨが操作され、暖房領域のみを表示することが選択された場合には、暖房領域のみを表示してもよい。もちろん、図１１（Ｃ）に示すように、選択ボタンＳＣと選択ボタンＳＣとが操作され、冷房領域と暖房領域の双方を表示することが選択された場合には、双方を表示してもよい。
【００８７】
また、図１２に示すような期間や目標温度をマトリックス状に配置する設定方式に対して、期間境界線Ｋ１〜Ｋ４を配置し、上記した実施形態で示したように期間をドラッグ操作により変更する構成としてもよい。これにより、今までマトリックス状の設定方式を採用していたような操作装置においてユーザインターフェースが大きく変わることを避けたいような場合においても、本発明を適用することで、期間を変更する際に何度も操作を入力することが不要となり、容易な操作態様を提供することができる。
【００８８】
各実施形態では、識別表示として操作マークＭＰを黒丸の図形にて示し、操作バーＭＢを二重線の図形にて示したが、上向き、下向き、右向き、左向きの三角の図形を組み合わせたり、期間境界線Ｋ１〜Ｋ４や目標温度線ＬＣ１〜ＬＣ５、ＬＨ１〜ＬＨ５を点滅表示させたりする構成としてもよい。
【００８９】
各実施形態では操作マークＭＰを表示枠Ｗの上端に重なるように配置したが、表示枠Ｗよりも上方や下方に配置してもよい。これにより、目標温度を変更する際に操作マークＭＰにふれて期間境界線Ｋ１〜Ｋ４を誤って操作してしまうおそれをさらに低減することができる。
【００９０】
各実施形態で例示した数値は一例であり、それらに限定されるものではない。
【符号の説明】
【００９１】
図面中、２は操作装置、３は空調装置、４は制御部、５は表示器、６はタッチパネル、Ｋ１〜Ｋ４は期間境界線、Ｋ３Ｇ、ＬＨ３Ｇは仮想線、ＭＣ１〜ＭＣ５は冷房目標温度（目標温度）、ＭＨ１〜ＭＨ５は暖房目標温度（目標温度）、ＬＣ１〜ＬＣ５は冷房目標温度線（目標温度線）、ＬＨ１〜ＬＨ５は暖房目標温度線（目標温度線）、Ｒ１、Ｒ５は睡眠期間（期間）、Ｒ２は起床期間（期間）、Ｒ３は外出期間（期間）、Ｒ４は帰宅期間（期間）、ＲＣ１〜ＲＣ５は冷房領域、ＲＣ１〜ＲＣ５は暖房領域を示す。
【図１】
2018206434.tif 000003
【図２】
2018206434.tif 000004
【図３】
2018206434.tif 000005
【図４】
2018206434.tif 000006
【図５】
2018206434.tif 000007
【図６】
2018206434.tif 000008
【図７】
2018206434.tif 000009
【図８】
2018206434.tif 000010
【図９】
2018206434.tif 000011
【図１０】
2018206434.tif 000012
【図１１】
2018206434.tif 000013
【図１２】
2018206434.tif 000014